(57)【特許請求の範囲】
【請求項１】
第１ベース用部材本体（１Ａ）、第１キャップ体（１Ｂ）、第１アンカー体（１Ｃ）から構成され、
第１ベース用部材本体（１Ａ）は、ＦＲＰなどの合成樹脂を素材とした平面方形の底面（１Ａ１）と、底面の周囲に連設された四角錐台状の側壁（１Ａ２）と、側壁の上面に張設された天板（１Ａ３）と、天板の中心に形成された平面円形のくぼみ（１Ａ４）と、くぼみの中心に開設されたねじが刻設された注入口（１Ａ５）から構成され、
第１キャップ体（１Ｂ）は、第１ベース用部材本体（１Ａ）のねじが刻設された注入口（１Ａ５）に螺合する所定寸法の縦ねじ棒（１Ｂ１）と、この縦ねじ棒の上端に固定されたナット（１Ｂ２）と、縦ねじ棒の芯にナット（１Ｂ２）のねじに連結する状態で貫通されたねじ穴（１Ｂ３）から構成され、
第１アンカー体（１Ｃ）は、第１キャップ体（１Ｂ）のねじ穴（１Ｂ３）に螺合する所定長さの縦ねじ棒（１Ｃ１）と、縦ねじ棒の上下に螺合されている上ナット（１Ｃ２）、下ナット（１Ｃ３）から構成されていることで地束を形成するよう構成したことを特徴とするベース用部材。
【請求項２】
補強骨（１Ｄ）を第１ベース用部材本体（１Ａ）の内側稜線に沿って配設するなどして補強した請求項１記載のベース用部材。
【請求項３】
請求項１あるいは請求項２記載のベース用部材を用いて、下記の各工程から構成されていることを特徴とするベースの形成方法。
第１工程
地束の設置を所望する箇所にベース用部材（イ）を運搬据付ける。
第２工程
ベース用部材（イ）内に水、土、砂、コンクリートのうちいずれかの充填物（１Ｅ）を充填し第１キャップ体（１Ｂ）をねじ込み、さらに第１アンカー体（１Ｃ）をねじ込み、下ナット（１Ｃ３）で固定して地束用ベース（イ１）を得る。
第３工程
地束用ベース（イ１）の上面に土台（１Ｆ）を設置して上ナット（１Ｃ２）で締付け固定する。
【請求項４】
第２ベース用部材本体（２Ａ）、第２キャップ体（２Ｂ）、第２アンカー体（２Ｃ）から構成され、
第２ベース用部材本体（２Ａ）は、ＦＲＰなどの合成樹脂を素材とした平面長方形の底面（２Ａ１）と、底面の周囲に連設された四角錐台状の側壁（２Ａ２）と、側壁の上面に張設された天板（２Ａ３）と、天板の左右に形成された平面円形のくぼみ（２Ａ４、２Ａ４）と、各くぼみの中心に開設されたねじが刻設された注入口（２Ａ５、２Ａ５）から構成され、
第２キャップ体（２Ｂ）は、第２ベース用部材本体（２Ａ）におけるねじが刻設された注入口（２Ａ５）に螺合する所定寸法の縦ねじ棒（２Ｂ１）と、この縦ねじ棒の上端に固定されたナット（２Ｂ２）と、縦ねじ棒の芯にナット（２Ｂ２）のねじに連結する状態で貫通されたねじ穴（２Ｂ３）から構成され、
第２アンカー体（２Ｃ）は、第２キャップ体（２Ｂ）のねじ穴（２Ｂ３）に螺合する所定長さの縦ねじ棒（２Ｃ１）と、縦ねじ棒の上下に螺合されている上ナット（２Ｃ２）、下ナット（２Ｃ３）から構成することでポール支持用基礎を形成するよう構成したことを特徴とするベース用部材。
【請求項５】
補強骨（２Ｄ）を第２ベース用部材本体（２Ａ）の内側稜線に沿って配設するなどして補強した請求項４記載のベース用部材。
【請求項６】
請求項４あるいは請求項５記載のベース用部材を用いて、下記の各工程から構成されていることを特徴とするベースの形成方法。
第１工程
ポール支持用基礎に使用するベースの設置を所望する箇所にベース用部材（ロ）を運搬据付ける。
第２工程
ベース用部材（ロ）内にコンクリート（２Ｅ）などを充填し第２キャップ体（２Ｂ）をねじ込み、さらに第２アンカー体（２Ｃ）をねじ込み、下ナット（２Ｃ３）で固定してポール支持用基礎に使用するベース（ロ１）を得る。
第３工程
ポール支持用基礎に使用するベース（ロ１）の上面に、道路標識あるいはガードレールなどを設置して上ナット（２Ｃ２）で締付け固定する。
【請求項７】
第３ベース用部材本体（３Ａ）、第３キャップ体（３Ｂ）、第３アンカー体（３Ｃ）から構成され、
第３ベース用部材本体（３Ａ）は、ＦＲＰなどの合成樹脂を素材とした底面（３Ａ１）と、前後の側壁（３Ａ２、３Ａ３）と、左右の側壁（３Ａ４、３Ａ４）と、天板（３Ａ５）から構成され、底面（３Ａ１）は、平面左右に長い方形に構成され、前の側壁（３Ａ２）は、底面（３Ａ１）の前方辺に上方に向け連設されたフーチング部用縦壁（３Ａ２１）と、フーチング部用縦壁の上辺に後方に向け連設された水平面（３Ａ２２）と、水平面の内方辺に上方に向け連設された立上り部用垂直壁（３Ａ２３）から構成され、後の側壁（３Ａ３）は、底面（３Ａ１）の後方辺に上方に向け連設されたフーチング部用縦壁（３Ａ３１）と、フーチング部用縦壁の上辺に前方に向け連設された水平面（３Ａ３２）と、水平面の内方辺に上方に向け連設された立上り部用垂直壁（３Ａ３３）から構成され、左右の側壁（３Ａ４、３Ａ４）は、前後の側壁（３Ａ２、３Ａ３）の左右端面に張設され、天板（３Ａ５）は、側壁の上面に張設され、当該天板には所定間隔をもって平面円形のくぼみ（３Ａ６、３Ａ６．．）が形成され、各くぼみの中心にねじが刻設された注入口（３Ａ７、３Ａ７．．）が開設され、
第３キャップ体（３Ｂ）は、第３ベース用部材本体（３Ａ）におけるねじが刻設された注入口（３Ａ７）に螺合する所定寸法の縦ねじ棒（３Ｂ１）と、この縦ねじ棒の上端に固定されたナット（３Ｂ２）と、縦ねじ棒の芯にナット（３Ｂ２）のねじに連結する状態で貫通されたねじ穴（３Ｂ３）から構成され、
第３アンカー体（３Ｃ）は、第３キャップ体（３Ｂ）のねじ穴（３Ｂ３）に螺合する所定長さの縦ねじ棒（３Ｃ１）と、縦ねじ棒の上方と下方に螺合されている上ナット（３Ｃ２）、下ナット（３Ｃ３）から構成することで建築用直線状布基礎を形成するよう構成されていることを特徴とするベース用部材。
【請求項８】
補強骨（３Ｄ）を第３ベース用部材本体（３Ａ）の内側稜線に沿って配設するなどして補強した請求項７記載のベース用部材。
【請求項９】
請求項７あるいは請求項８記載のベース用部材を用いて、下記の各工程から構成されていることを特徴とするベースの形成方法。
第１工程
建築用直線状布基礎に使用するベースの設置を所望する箇所にベース用部材（ハ）を運搬据付ける。
第２工程
ベース用部材（ハ）内にコンクリート（３Ｅ）を充填し第３キャップ体（３Ｂ）をねじ込み、さらに第３アンカー体（３Ｃ）をねじ込み、下ナット（３Ｃ３）で固定して建築用直線状布基礎に使用するベース（ハ１）を得る。
第３工程
建築用直線状布基礎に使用するベース（ハ１）の上面に、土台（３Ｆ）を設置して上ナット（３Ｃ２）で締付け、第３アンカー体（３Ｃ）に固定する。
【請求項１０】
第４ベース用部材本体（４Ａ）、第４キャップ体（４Ｂ）、第４アンカー体（４Ｃ）から構成され、
第４べース用部材本体（４Ａ）は、ＦＲＰなどの合成樹脂を素材とした底面（４Ａ１）と、内外の側壁（４Ａ２、４Ａ３）と、一方と他方の端部用側壁（４Ａ４、４Ａ４）と、天板（４Ａ５）から構成され、底面（４Ａ１）は、平面略Ｌ字状に構成され、内の側壁（４Ａ２）は、底面（４Ａ１）の内方辺に上方に向け連設されたフーチング部用縦壁（４Ａ２１）と、フーチング部用縦壁の上辺に外方に向け連設された水平面（４Ａ２２）と、水平面の外方辺に上方に向け連設された立上り部用垂直壁（４Ａ２３）から構成され、外の側壁（４Ａ３）は、底面（４Ａ１）の外方辺に上方に向け連設されたフーチング部用縦壁（４Ａ３１）と、フーチング部用縦壁の上辺に内方に向け連設された水平面（４Ａ３２）と、水平面の内方辺に上方に向け連設された立上り部用垂直壁（４Ａ３３）から構成され、一方と他方の端部用側壁（４Ａ４、４Ａ４）は、内外の側壁（４Ａ２、４Ａ３）の一方と他方の端面に張設され、天板（４Ａ５）は、側壁の上面に張設され、当該天板には所定間隔をもって平面円形のくぼみ（４Ａ６、４Ａ６）が形成され、各くぼみの中心にねじが刻設された注入口（４Ａ７、４Ａ７）が開設され、
第４キャップ体（４Ｂ）は、第４ベース用部材本体（４Ａ）におけるねじが刻設された注入口（４Ａ７）に螺合する所定寸法の縦ねじ棒（４Ｂ１）と、この縦ねじ棒の上端に固定されたナット（４Ｂ２）と、縦ねじ棒の芯にナット（４Ｂ２）のねじに連結する状態で貫通されたねじ穴（４Ｂ３）から構成され、
第４アンカー体（４Ｃ）は、第４キャップ体（４Ｂ）のねじ穴（４Ｂ３）に螺合する所定長さの縦ねじ棒（４Ｃ１）と、縦ねじ棒の上方と下方に螺合されている上ナット（４Ｃ２）、下ナット（４Ｃ３）から構成することで建築用コーナー布基礎を形成するよう構成されていることを特徴とするベース用部材。
【請求項１１】
補強骨（４Ｄ）を第４べース用部材本体（４Ａ）の内側稜線に沿って配設するなどして補強した請求項１０記載のベース用部材。
【請求項１２】
請求項１０あるいは請求項１１記載のベース用部材を用いて、下記の各工程から構成されていることを特徴とするベースの形成方法。
第１工程
建築用コーナー布基礎に使用するベースの設置を所望する箇所にベース用部材（ニ）を運搬据付ける。
第２工程
ベース用部材（ニ）内にコンクリート（４Ｅ）を充填し第４キャップ体（４Ｂ）をねじ込み、さらに第４アンカー体（４Ｃ）をねじ込み、下ナット（４Ｃ３）で固定して建築用コーナー布基礎に使用するベース（ニ１）を得る。
第３工程
建築用コーナー布基礎に使用するベース（ニ１）の上面に、土台（４Ｆ）を設置して上ナット（４Ｃ２）で締付け固定する。
【発明の詳細な説明】
【０００１】
【発明の属する技術分野】
本発明は、新規な構成を有するベース用部材とベースの形成方法に関するものである。
そこで、ベースには、地束として使用するベース、道路標識、ガードレールなどのポール支持用基礎として使用するベース、建築用直線状布基礎として使用するベース、建築用コーナー布基礎として使用するベースがある。
【０００２】
【従来の技術】
従来の上記ベースは、コンクリートで製造されるものとの固定概念があり現在に至っている。
【０００３】
【発明が解決しようとする課題】
従来の技術で述べたものにあっては、下記のような問題点を有していた。
コンクリート製の地束やポール支持用基礎は工場生産され、それぞれの目的に使用されるが、相当な重量があり、その据え付け作業も手作業が多く、骨の折れる作業となっている。
しかも、現場にはレッカー車またはその他の重機が必要である。
【０００４】
本発明は、従来の技術の有するこのような問題点に鑑みなされたものであり、その目的とするところは、下記のようにすることができるものを提供しようとするものである。
建築基準法では、法で指定しているもの以外は強度的条件を満たせばよいとされている。
そこで、成形加工の容易なＦＲＰなどの合成樹脂を素材とした仮枠的な作用を有するベース用部材を用いてベースを作り、工期の短縮性、施工の容易性などを実現する。
【０００５】
上記目的を達成するために、本発明は下記のようになるものである。
【０００６】
請求項１記載の発明は、第１ベース用部材本体１Ａ、第１キャップ体１Ｂ、第１アンカー体１Ｃから構成され、
Ａ．第１ベース用部材本体１Ａは、ＦＲＰなどの合成樹脂を素材とした平面方形の底面１Ａ１と、底面の周囲に連設された四角錐台状の側壁１Ａ２と、側壁の上面に張設された天板１Ａ３と、天板の中心に形成された平面円形のくぼみ１Ａ４と、くぼみの中心に開設されたねじが刻設された注入口１Ａ５から構成され、
Ｂ．第１キャップ体１Ｂは、第１ベース用部材本体１Ａのねじが刻設された注入口１Ａ５に螺合する所定寸法の縦ねじ棒１Ｂ１と、この縦ねじ棒の上端に固定されたナット１Ｂ２と、縦ねじ棒の芯にナット１Ｂ２のねじに連結する状態で貫通されたねじ穴１Ｂ３から構成され、
Ｃ．第１アンカー体１Ｃは、第１キャップ体１Ｂのねじ穴１Ｂ３に螺合する所定長さの縦ねじ棒１Ｃ１と、縦ねじ棒の上下に螺合されている上ナット１Ｃ２、下ナット１Ｃ３から構成されていることで地束を形成するよう構成したことを特徴とするものである。
【０００７】
請求項２記載の発明は、請求項１記載の発明において、補強骨１Ｄを第１ベース用部材本体１Ａの内側稜線に沿って配設するなどして補強したことを特徴とするものである。
【０００８】
請求項３記載の発明は、請求項１あるいは請求項２記載の発明を用いて、下記の各工程から構成されていることを特徴とするものである。
【０００９】
第１工程
地束の設置を所望する箇所にベース用部材イを運搬据付ける。
第２工程
ベース用部材イ内に水、土、砂、コンクリートのうちいずれかの充填物１Ｅを充填し第１キャップ体１Ｂをねじ込み、さらに第１アンカー体１Ｃをねじ込み、下ナット１Ｃ３で固定して地束用ベース（イ１）を得る。
第３工程
地束用ベース（イ１）の上面に土台１Ｆを設置して上ナット１Ｃ２で締付け固定する。
【００１０】
請求項４記載の発明は、第２ベース用部材本体２Ａ、第２キャップ体２Ｂ、第２アンカー体２Ｃから構成され、
Ａ．第２ベース用部材本体２Ａは、ＦＲＰなどの合成樹脂を素材とした平面長方形の底面２Ａ１と、底面の周囲に連設された四角錐台状の側壁２Ａ２と、側壁の上面に張設された天板２Ａ３と、天板の左右に形成された平面円形のくぼみ２Ａ４、２Ａ４と、各くぼみの中心に開設されたねじが刻設された注入口２Ａ５、２Ａ５から構成され、
Ｂ．第２キャップ体２Ｂは、第２ベース用部材本体２Ａにおけるねじが刻設された注入口２Ａ５に螺合する所定寸法の縦ねじ棒２Ｂ１と、この縦ねじ棒の上端に固定されたナット２Ｂ２と、縦ねじ棒の芯にナット２Ｂ２のねじに連結する状態で貫通されたねじ穴２Ｂ３から構成され、
Ｃ．第２アンカー体２Ｃは、第２キャップ体２Ｂのねじ穴２Ｂ３に螺合する所定長さの縦ねじ棒２Ｃ１と、縦ねじ棒の上下に螺合されている上ナット２Ｃ２、下ナット２Ｃ３から構成することでポール支持用基礎に使用するベースを形成するよう構成したことを特徴とするものである。
【００１１】
請求項５記載の発明は、請求項４記載の発明において、補強骨２Ｄを第２ベース用部材本体２Ａの内側稜線に沿って配設するなどして補強したことを特徴とするものである。
【００１２】
請求項６記載の発明は、請求項４あるいは請求項５記載の発明を用いて、下記の各工程から構成されていることを特徴とするものである。
【００１３】
第１工程
ポール支持用基礎に使用するベースの設置を所望する箇所にベース用部材ロを運搬据付ける。
第２工程
ベース用部材ロ内にコンクリート２Ｅなどを充填し第２キャップ体２Ｂをねじ込み、さらに第２アンカー体２Ｃをねじ込み、下ナット２Ｃ３で固定してポール支持用基礎に使用するベース（ロ１）を得る。
第３工程
ポール支持用基礎に使用するベース（ロ１）の上面に、道路標識あるいはガードレールなどを設置して上ナット２Ｃ２で締付け固定する。
【００１４】
請求項７記載の発明は、第３ベース用部材本体３Ａ、第３キャップ体３Ｂ、第３アンカー体３Ｃから構成され、
Ａ．第３ベース用部材本体３Ａは、ＦＲＰなどの合成樹脂を素材とした底面３Ａ１と、前後の側壁３Ａ２、３Ａ３と、左右の側壁３Ａ４、３Ａ４と、天板３Ａ５から構成され、
底面３Ａ１は、平面左右に長い方形に構成され、前の側壁３Ａ２は、底面３Ａ１の前方辺に上方に向け連設されたフーチング部用縦壁３Ａ２１と、フーチング部用縦壁の上辺に後方に向け連設された水平面３Ａ２２と、水平面の内方辺に上方に向け連設された立上り部用垂直壁３Ａ２３から構成され、後の側壁３Ａ３は、底面３Ａ１の後方辺に上方に向け連設されたフーチング部用縦壁３Ａ３１と、フーチング部用縦壁の上辺に前方に向け連設された水平面３Ａ３２と、水平面の内方辺に上方に向け連設された立上り部用垂直壁３Ａ３３から構成され、左右の側壁３Ａ４、３Ａ４は、前後の側壁３Ａ２、３Ａ３の左右端面に張設され、天板３Ａ５は、側壁の上面に張設され、当該天板には所定間隔をもって平面円形のくぼみ３Ａ６、３Ａ６．．が形成され、各くぼみの中心にねじが刻設された注入口３Ａ７、３Ａ７．．が開設され、
Ｂ．第３キャップ体３Ｂは、第３ベース用部材本体３Ａにおけるねじが刻設された注入口３Ａ７に螺合する所定寸法の縦ねじ棒３Ｂ１と、この縦ねじ棒の上端に固定されたナット３Ｂ２と、縦ねじ棒の芯にナット３Ｂ２のねじに連結する状態で貫通されたねじ穴３Ｂ３から構成され、
Ｃ．第３アンカー体３Ｃは、第３キャップ体３Ｂのねじ穴３Ｂ３に螺合する所定長さの縦ねじ棒３Ｃ１と、縦ねじ棒の上方と下方に螺合されている上ナット３Ｃ２、下ナット３Ｃ３から構成することで建築用直線状布基礎を形成するよう構成されていることを特徴とするものである。
【００１５】
請求項８記載の発明は、請求項７記載の発明において、補強骨３Ｄを第３ベース用部材本体３Ａの内側稜線に沿って配設するなどして補強したことを特徴とするものである。
【００１６】
請求項９記載の発明は、請求項７あるいは請求項８記載の発明を用いて、下記の各工程から構成されていることを特徴とするものである。
【００１７】
第１工程
建築用直線状布基礎に使用するベースの設置を所望する箇所にベース用部材ハを運搬据付ける。
第２工程
ベース用部材ハ内にコンクリート３Ｅを充填し第３キャップ体３Ｂをねじ込み、さらに第３アンカー体３Ｃをねじ込み、下ナット３Ｃ３で固定して建築用直線状布基礎に使用するベース（ハ１）を得る。
第３工程
建築用直線状布基礎に使用するベース（ハ１）の上面に、例えば土台３Ｆを設置して上ナット３Ｃ２で締付け、第３アンカー体３Ｃに固定する。
【００１８】
請求項１０記載の発明は、第４ベース用部材本体４Ａ、第４キャップ体４Ｂ、第４アンカー体４Ｃから構成され、
Ａ．第４べース用部材本体４Ａは、ＦＲＰなどの合成樹脂を素材とした底面４Ａ１と、内外の側壁４Ａ２、４Ａ３と、一方と他方の端部用側壁４Ａ４、４Ａ４と、天板４Ａ５から構成され、
底面４Ａ１は、平面略Ｌ字状に構成され、内の側壁４Ａ２は、底面４Ａ１の内方辺に上方に向け連設されたフーチング部用縦壁４Ａ２１と、フーチング部用縦壁の上辺に外方に向け連設された水平面４Ａ２２と、水平面の外方辺に上方に向け連設された立上り部用垂直壁４Ａ２３から構成され、外の側壁４Ａ３は、底面４Ａ１の外方辺に上方に向け連設されたフーチング部用縦壁４Ａ３１と、フーチング部用縦壁の上辺に内方に向け連設された水平面４Ａ３２と、水平面の内方辺に上方に向け連設された立上り部用垂直壁４Ａ３３から構成され、一方と他方の端部用側壁４Ａ４、４Ａ４は、内外の側壁４Ａ２、４Ａ３の一方と他方の端面に張設され、天板４Ａ５は、側壁の上面に張設され、当該天板には所定間隔をもって平面円形のくぼみ４Ａ６、４Ａ６が形成され、各くぼみの中心にねじが刻設された注入口４Ａ７、４Ａ７が開設され、
Ｂ．第４キャップ体４Ｂは、第４ベース用部材本体４Ａにおけるねじが刻設された注入口４Ａ７に螺合する所定寸法の縦ねじ棒４Ｂ１と、この縦ねじ棒の上端に固定されたナット４Ｂ２と、縦ねじ棒の芯にナット４Ｂ２のねじに連結する状態で貫通されたねじ穴４Ｂ３から構成され、
Ｃ．第４アンカー体４Ｃは、第４キャップ体４Ｂのねじ穴４Ｂ３に螺合する所定長さの縦ねじ棒４Ｃ１と、縦ねじ棒の上方と下方に螺合されている上ナット４Ｃ２、下ナット４Ｃ３から構成することで建築用コーナー布基礎を形成するよう構成されていることを特徴とするものである。
【００１９】
請求項１１記載の発明は、請求項１０記載の発明において、補強骨４Ｄを第４べース用部材本体４Ａの内側稜線に沿って配設するなどして補強したことを特徴とするものである。
【００２０】
請求項１２記載の発明は、請求項１０あるいは請求項１１記載の発明を用いて、下記の各工程から構成されていることを特徴とするものである。
第１工程
建築用コーナー布基礎に使用するベースの設置を所望する箇所にベース用部材ニを運搬据付ける。
第２工程
ベース用部材ニ内にコンクリート４Ｅを充填し第４キャップ体４Ｂをねじ込み、さらに第４アンカー体４Ｃをねじ込み、下ナット４Ｃ３で固定して建築用コーナー布基礎に使用するベース（ニ１）を得る。
第３工程
建築用コーナー布基礎に使用するベース（ニ１）の上面に、例えば土台４Ｆを設置して上ナット４Ｃ２で締付け固定する。
【００２１】
【発明の実施の形態】
以下、本発明の実施の形態を実施例にもとづき図面を参照して説明する。
イは第１発明の地束を形成するためのベース用部材で、第１ベース用部材本体１Ａ、第１キャップ体１Ｂ、第１アンカー体１Ｃから構成されている。
Ａ．第１ベース用部材本体１Ａは、ＦＲＰなどの合成樹脂を素材とした平面方形の底面１Ａ１と、底面の周囲に連設された四角錐台状の側壁１Ａ２と、側壁の上面に張設された天板１Ａ３と、天板の中心に形成された平面円形のくぼみ１Ａ４と、くぼみの中心に開設されたねじが刻設された注入口１Ａ５から構成されている。
この場合、天板１Ａ３は強度の関係で分厚く構成されている。
Ｂ．第１キャップ体１Ｂは、第１ベース用部材本体１Ａのねじが刻設された注入口１Ａ５に螺合する所定寸法の縦ねじ棒１Ｂ１と、この縦ねじ棒の上端に固定されたナット１Ｂ２と、縦ねじ棒の芯にナット１Ｂ２のねじに連結する状態で貫通されたねじ穴１Ｂ３から構成されている。
Ｃ．第１アンカー体１Ｃは、第１キャップ体１Ｂのねじ穴１Ｂ３に螺合する所定長さの縦ねじ棒１Ｃ１と、縦ねじ棒の上下に螺合されている上ナット１Ｃ２、下ナット１Ｃ３から構成されている。
Ｄ．他の実施例として、補強骨１Ｄを第１ベース用部材本体１Ａの内側稜線に沿って配設するなどして補強することができる。
【００２２】
第２発明はベース用部材イを使用したベースの形成方法である。
イ１はこの形成方法で得た地束用ベースである。
第１工程
地束用ベースの設置を所望する箇所にベース用部材イを運搬据付ける。
第２工程
ベース用部材イ内に水、土、砂、コンクリートのうちいずれかの充填物１Ｅを充填し第１キャップ体１Ｂをねじ込み、さらに第１アンカー体１Ｃをねじ込み、下ナット１Ｃ３で固定して地束用ベース（イ１）を得る。
第３工程
地束用ベース（イ１）の上面に土台１Ｆを設置して上ナット１Ｃ２で締付け固定する。
【００２３】
ロは第３発明の道路標識、ガードレールなどのポール支持用基礎を形成するためのベース用部材で、第２ベース用部材本体２Ａ、第２キャップ体２Ｂ、第２アンカー体２Ｃから構成されている。
Ａ．第２ベース用部材本体２Ａは、ＦＲＰなどの合成樹脂を素材とした平面長方形の底面２Ａ１と、底面の周囲に連設された四角錐台状の側壁２Ａ２と、側壁の上面に張設された天板２Ａ３と、天板の左右に形成された平面円形のくぼみ２Ａ４、２Ａ４と、各くぼみの中心に開設されたねじが刻設された注入口２Ａ５、２Ａ５から構成されている。
この場合、天板２Ａ３は強度の関係で分厚く構成されている。
Ｂ．第２キャップ体２Ｂは、第２ベース用部材本体２Ａにおけるねじが刻設された注入口２Ａ５に螺合する所定寸法の縦ねじ棒２Ｂ１と、この縦ねじ棒の上端に固定されたナット２Ｂ２と、縦ねじ棒の芯にナット２Ｂ２のねじに連結する状態で貫通されたねじ穴２Ｂ３から構成されている。
Ｃ．第２アンカー体２Ｃは、第２キャップ体２Ｂのねじ穴２Ｂ３に螺合する所定長さの縦ねじ棒２Ｃ１と、縦ねじ棒の上下に螺合されている上ナット２Ｃ２、下ナット２Ｃ３から構成されている。
Ｄ．他の実施例として、補強骨２Ｄを第２ベース用部材本体２Ａの内側稜線に沿って配設するなどして補強することができる。
【００２４】
第４発明はベース用部材ロを使用したベースの形成方法である。
ロ１はこの形成方法で得た道路標識、ガードレールなどのポール支持用基礎に使用するベースである。
第１工程
ポール支持用基礎に使用するベースの設置を所望する箇所にベース用部材ロを運搬据付ける。
第２工程
ベース用部材ロ内にコンクリート２Ｅを充填し第２キャップ体２Ｂをねじ込み、さらに第２アンカー体２Ｃをねじ込み、下ナット２Ｃ３で固定してポール支持用基礎に使用するベース（ロ１）を得る。
この場合、用途によりコンクリートに代え水、土、砂とすることができる。
第３工程
ポール支持用基礎に使用するベース（ロ１）の上面に、例えば道路標識２Ｆを設置して上ナット２Ｃ２で締付け固定する。
【００２５】
ハは第５発明の建築用直線状布基礎を形成するためのベース用部材で、第３ベース用部材本体３Ａ、第３キャップ体３Ｂ、第３アンカー体３Ｃから構成されている。
Ａ．第３ベース用部材本体３Ａは、ＦＲＰなどの合成樹脂を素材とした底面３Ａ１と、前後の側壁３Ａ２、３Ａ３と、左右の側壁３Ａ４、３Ａ４と、天板３Ａ５から構成されている。
ａ．底面３Ａ１は、平面左右に長い方形に構成されている。
ｂ．前の側壁３Ａ２は、底面３Ａ１の前方辺に上方に向け連設されたフーチング部用縦壁３Ａ２１と、フーチング部用縦壁の上辺に後方に向け連設された水平面３Ａ２２と、水平面の内方辺に上方に向け連設された立上り部用垂直壁３Ａ２３から構成されている。
後の側壁３Ａ３は、底面３Ａ１の後方辺に上方に向け連設されたフーチング部用縦壁３Ａ３１と、フーチング部用縦壁の上辺に前方に向け連設された水平面３Ａ３２と、水平面の内方辺に上方に向け連設された立上り部用垂直壁３Ａ３３から構成されている。
ｃ．左右の側壁３Ａ４、３Ａ４は、前後の側壁３Ａ２、３Ａ３の左右端面に張設されている。
ｄ．天板３Ａ５は、左右の側壁の上面に張設され、当該天板には所定間隔をもって平面円形のくぼみ３Ａ６、３Ａ６．．が形成され、各くぼみの中心にねじが刻設された注入口３Ａ７、３Ａ７．．が開設されている。
この場合、天板３Ａ５は強度の関係で分厚く構成されている。
【００２６】
Ｂ．第３キャップ体３Ｂは、第３ベース用部材本体３Ａにおけるねじが刻設された注入口３Ａ７に螺合する所定寸法の縦ねじ棒３Ｂ１と、この縦ねじ棒の上端に固定されたナット３Ｂ２と、縦ねじ棒の芯にナット３Ｂ２のねじに連結する状態で貫通されたねじ穴３Ｂ３から構成されている。
Ｃ．第３アンカー体３Ｃは、第３キャップ体３Ｂのねじ穴３Ｂ３に螺合する所定長さの縦ねじ棒３Ｃ１と、縦ねじ棒の上方と下方に螺合されている上ナット３Ｃ２、下ナット３Ｃ３から構成されている。
Ｄ．他の実施例として、補強骨３Ｄを第３ベース用部材本体３Ａの内側稜線に沿って配設するなどして補強することができる。
【００２７】
第６発明はベース用部材ハを使用したベースの形成方法である。
ハ１はこの形成方法で得た建築用直線状布基礎に使用するベースである。
第１工程
建築用直線状布基礎に使用するベースの設置を所望する箇所にベース用部材ハを運搬据付ける。
第２工程
ベース用部材ハ内にコンクリート３Ｅを充填し第３キャップ体３Ｂをねじ込み、さらに第３アンカー体３Ｃをねじ込み、下ナット３Ｃ３で固定して建築用直線状布基礎に使用するベース（ハ１）を得る。
第３工程
建築用直線状布基礎に使用するベース（ハ１）の上面に、例えば土台３Ｆを設置して上ナット３Ｃ２で締付け、第３アンカー体３Ｃに固定する。
【００２８】
ニは第７発明の建築用コーナー布基礎を形成するためのベース用部材で、第４ベース用部材本体４Ａ、第４キャップ体４Ｂ、第４アンカー体４Ｃから構成されている。
Ａ．第４べース用部材本体４Ａは、ＦＲＰなどの合成樹脂を素材とした底面４Ａ１と、内外の側壁４Ａ２、４Ａ３と、一方と他方の端部用側壁４Ａ４、４Ａ４と、天板４Ａ５から構成されている。
ａ．底面４Ａ１は、平面略Ｌ字状に構成されている。
ｂ．内の側壁４Ａ２は、底面４Ａ１の内方辺に上方に向け連設されたフーチング部用縦壁４Ａ２１と、フーチング部用縦壁の上辺に外方に向け連設された水平面４Ａ２２と、水平面の外方辺に上方に向け連設された立上り部用垂直壁４Ａ２３から構成されている。
外の側壁４Ａ３は、底面４Ａ１の外方辺に上方に向け連設されたフーチング部用縦壁４Ａ３１と、フーチング部用縦壁の上辺に内方に向け連設された水平面４Ａ３２と、水平面の内方辺に上方に向け連設された立上り部用垂直壁４Ａ３３から構成されている。
ｃ．一方と他方の端部用側壁４Ａ４、４Ａ４は、内外の側壁４Ａ２、４Ａ３の一方と他方の端面に張設されている。
ｄ．天板４Ａ５は、端部用側壁の上面に張設され、当該天板には所定間隔をもって平面円形のくぼみ４Ａ６、４Ａ６が形成され、各くぼみの中心にねじが刻設された注入口４Ａ７、４Ａ７が開設されている。
この場合、天板４Ａ５は強度の関係で分厚く構成されている。
【００２９】
Ｂ．第４キャップ体４Ｂは、第４ベース用部材本体４Ａにおけるねじが刻設された注入口４Ａ７に螺合する所定寸法の縦ねじ棒４Ｂ１と、この縦ねじ棒の上端に固定されたナット４Ｂ２と、縦ねじ棒の芯にナット４Ｂ２のねじに連結する状態で貫通されたねじ穴４Ｂ３から構成されている。
Ｃ．第４アンカー体４Ｃは、第４キャップ体４Ｂのねじ穴４Ｂ３に螺合する所定長さの縦ねじ棒４Ｃ１と、縦ねじ棒の上方と下方に螺合されている上ナット４Ｃ２、下ナット４Ｃ３から構成されている。
Ｄ．他の実施例として、補強骨４Ｄを第４べース用部材本体４Ａの内側稜線に沿って配設するなどして補強することができる。
【００３０】
第８発明はベース用部材ニを使用したベースの形成方法である。
ニ１はこの形成方法で得た建築用コーナー布基礎に使用するベースである。
第１工程
建築用コーナー布基礎に使用するベースの設置を所望する箇所にベース用部材ニを運搬据付ける。
第２工程
ベース用部材ニ内にコンクリート４Ｅを充填し第４キャップ体４Ｂをねじ込み、さらに第４アンカー体４Ｃをねじ込み、下ナット４Ｃ３で固定して建築用コーナー布基礎に使用するベース（ニ１）を得る。
第３工程
建築用コーナー布基礎に使用するベース（ニ１）の上面に、例えば土台４Ｆを設置して上ナット４Ｃ２で締付け固定する。
【００３１】
【発明の効果】
本発明は、上述の通り構成されているので次に記載する効果を奏する。
１．ＦＲＰ製の既に出来上がっているベース用部材を使用することによって、軽いので据付けが全て手作業ででき、所望する個所に正確に配置でき、作業効率が飛躍的に向上する。
すなわち、地束などは重量が軽いため素人でも十分作業できる。
２．ＦＲＰ製のベース用部材の内部に補強骨を入れることで上部からの荷重を支えるため、強風などにより基礎の引抜きに対する基礎の重量のみを考えれば良く、ベース用部材内の充填物は、水、土、砂、コンクリートなどを使用できるのでコストダウンになる。
３．充填物に水、土、砂などを使用の場合は再使用できる。
４．ＦＲＰ成形のため工場で大量に製作でき、単価を下げることができる。
そして、廃プラスチック再使用も可能である。
５．ベース用部材は軽量のため輸送コストが大幅に下がる。
６．アンカーボルトのセットがねじ式のため、当該アンカーボルトの位置が正確で強固である。
７．外側がＦＲＰで被覆されているため耐久性が高い。
８．このほか、安価に製造できる、部品点数が少ないので組立が容易である、経済的である、などの効果をも有するものである。
【図面の簡単な説明】
【図１】第１発明のベース用部材の分解斜視図である。
【図２】Ａ−Ａ線拡大断面図である。
【図３】ベース用部材の他の実施例の分解斜視図である。
【図４】Ｂ−Ｂ線拡大断面図である。
【図５】使用状態を説明する縦断面図である。
【図６】第１キャップ体と第１アンカー体の関係を説明する縦断面図である。
【図７】第３発明のベース用部材の分解斜視図である。
【図８】Ｃ−Ｃ線拡大断面図である。
【図９】ベース用部材の他の実施例の分解斜視図である。
【図１０】Ｄ−Ｄ線拡大断面図である。
【図１１】使用状態を説明する縦断面図である。
【図１２】第５発明のベース用部材の分解斜視図である。
【図１３】Ｅ−Ｅ線拡大断面図である。
【図１４】使用状態を説明する縦断面図である。
【図１５】第７発明のベース用部材の分解斜視図である。
【図１６】Ｆ−Ｆ線拡大端面図である。
【図１７】使用状態を説明する縦断面図である。
【符号の説明】
イ  地束を形成するためのベース用部材
１Ａ  第１ベース用部材本体
１Ｂ  第１キャップ体
１Ｃ  第１アンカー体
イ１  地束用ベース
ロ  ポール支持用基礎を形成するためのベース用部材
２Ａ  第２ベース用部材本体
２Ｂ  第２キャップ体
２Ｃ  第２アンカー体
ロ１  ポール支持用基礎に使用するベース
ハ  建築用直線状布基礎を形成するためのベース用部材
３Ａ  第３ベース用部材本体
３Ｂ  第３キャップ体
３Ｃ  第３アンカー体
ハ１  建築用直線状布基礎に使用するベース
ニ  建築用コーナー布基礎を形成するためのベース用部材
４Ａ  第４ベース用部材本体
４Ｂ  第４キャップ体
４Ｃ  第４アンカー体
ニ１  建築用コーナー布基礎に使用するベース
【図１】
0003764114.tif 000002
【図２】
0003764114.tif 000003
【図３】
0003764114.tif 000004
【図４】
0003764114.tif 000005
【図５】
0003764114.tif 000006
【図６】
0003764114.tif 000007
【図７】
0003764114.tif 000008
【図８】
0003764114.tif 000009
【図９】
0003764114.tif 000010
【図１０】
0003764114.tif 000011
【図１１】
0003764114.tif 000012
【図１２】
0003764114.tif 000013
【図１３】
0003764114.tif 000014
【図１４】
0003764114.tif 000015
【図１５】
0003764114.tif 000016
【図１６】
0003764114.tif 000017
【図１７】
0003764114.tif 000018